(57)【要約】【課題】着脱操作を簡単に実行し得ると共に、高い信頼性で結合し、確実に掛け止めることができ、且、容易に製造し得る止め具、及び、その止め具を含む装身具を提供する。【解決手段】止め具は、基体部１０と、係止孔１３と、開口部１２とを含む。基体部１０は、有機弾性材料からなる。掛止孔１３は、基体部１０を貫通している。開口部１２は、基体部１０に設けられ、掛止孔１３に沿って、基体部１０の外面、及び、掛止孔１３の内面に開口している。【選択図】      図１
2004167139.tif 000002
【特許請求の範囲】
【請求項１】
基体部と、掛止孔と、開口部とを含む止め具であって、
前記基体部は、有機弾性材料からなり、
前記掛止孔は、前記基体部を貫通しており、
前記開口部は、前記掛止孔に沿って前記基体部に設けられ、前記掛止孔の内面、及び、前記基体部の外面に開口している
止め具。
【請求項２】
請求項１に記載された止め具であって、
前記開口部は、第１の開口端と、第２の開口端とを含み、
前記第１の開口端は、前記基体部の外面に開口し、
前記第２の開口端は、前記掛止孔の内面に開口し、
前記第１の開口端の開口幅は、前記第２の開口端の開口幅以上であり、
前記第２の開口端の開口幅は、前記掛止孔との連絡部分において、前記掛止孔の最大径寸法以下に設定されている
止め具。
【請求項３】
請求項１又は２の何れかに記載された止め具であって、
前記開口部は、スリット形状である止め具。
【請求項４】
請求項１乃至３の何れかに記載された止め具であって、
更に、支持体を含み、
前記支持体は、開口部を備え、前記基体部を内蔵しており、
前記支持体の前記開口部は、前記基体部の前記開口部に対応する箇所に設けられている
止め具。
【請求項５】
止め具と、紐状部材とを含む装身具であって、
前記止め具は、請求項１乃至４のいずれかに記載されたものでなり、
前記止め具は、前記基体部の弾性により、前記掛止孔の内部において前記紐状部材を弾性的に保持する
装身具。
【発明の詳細な説明】
【０００１】
【発明の属する技術分野】
本発明は、止め具に関する。更に詳しくは、着脱操作を簡単、かつ、確実に実行できる止め具に関する。本発明に係る止め具は、通常、紐状部材と組み合わされて装身具として使用される。
【０００２】
【従来の技術】
物品が脱落したり、紛失したりするのを回避するため、従来より、種々の止め具が知られている。止め具の具体的な使用例は宝石、貴金属の分野であり、例えば、ネックレス等の紐状部材に、他の物品を掛け止めるために用いられる。
【０００３】
この種の止め具は、金、銀やプラチナ等の貴金属により構成された高価な装身具に用いられる場合、掛け止め効果の信頼性が極めて重要なポイントとなる。
【０００４】
また、止め具は、着脱操作の間、視界内に位置するか、視界外に位置するかに関わらず、最少の手間で簡単に操作できることが望ましい。更に、止め具は、見栄えがよいものでなければならない。
【０００５】
上述した点について、特許文献１は、内向きフランジの内部に弾性材料製の管を押入れした小径飾玉を複数個用い、小径飾玉に於ける管の内径孔に同内径孔より僅かに太い化粧鎖を強制移動可能に挿通し、装飾体たる大径飾玉を、止め具たる小径飾玉の相互間に挟持する装身具を開示している。
【０００６】
しかし、特許文献１では、止め具となる小径飾玉に配置された弾性材料製の管に、紐状部材たる化粧鎖を挿通しなければならないという煩わしさがあった。
【０００７】
また、特許文献１記載の装身具では、化粧鎖が弾性材料製の管を貫通しているから、例えば、小径飾玉及び大径飾玉を複数用いた場合、一旦、小径飾玉、及び、大径飾玉に化粧鎖を挿通して後は、必要に応じて小径飾玉及び大径飾玉の配置を変更する操作が、極めて困難であった。
【０００８】
同様に、特許文献１記載の装身具では、化粧鎖が管を貫通しているから、一旦、小径飾玉及び大径飾玉に化粧鎖を挿通して後は、小径飾玉及び大径飾玉を、必要に応じて個別に離脱させることは困難であった。
【０００９】
【特許文献１】
実公昭６１−０２４０８７号公報
【００１０】
【発明が解決しようとする課題】
本発明の課題は、着脱操作を簡単に実行し得る止め具、及び、その止め具を含む装身具を提供することである。
【００１１】
本発明のもう一つの課題は、高い信頼性で結合し、確実に掛け止めることができる止め具、及び、その止め具を含む装身具を提供することである。
【００１２】
本発明の更にもう一つの課題は、簡単、かつ、安価に製造し得る止め具、及び、その止め具を含む装身具を提供することである。
【００１３】
本発明の更にもう一つの課題は、種々の分野で用い得る止め具、及び、その止め具を含む装身具を提供することである。
【００１４】
【課題を解決するための手段】
本発明に係る止め具は、基体部と、掛止孔と、開口部とを含む。前記基体部は、有機弾性材料からなる。前記掛止孔は、前記基体部を貫通している。前記開口部は、前記掛止孔に沿って前記基体部に設けられ、前記掛止孔の内面、及び、前記基体部の外面に開口している。
【００１５】
本発明に係る止め具は、通常、紐状部材と組み合わされ、装身具として使用される。ここで、止め具は、基体部と、掛止孔と、開口部とを含む。掛止孔は、基体部を貫通している。開口部は、掛止孔に沿って基体部に設けられ、基体部の外面及び掛止孔の内面に開口している。この構造によれば、紐状部材が無端状であったとしても、紐状部材の一部を、開口部を通して、基体部の外面から掛止孔の内部に案内し、止め具を紐状部材に掛け止めることができる。
【００１６】
しかも、止め具は、基体部が弾性材料からなるから、掛止孔の内部に案内された紐状部材を、基体部の弾性により、弾性的に安定に保持することができる。
【００１７】
また、掛止孔の内部に案内された紐状部材には、基体部の弾性により、掛止孔の内面から軸方向に対する弾性押圧力が加えられ続ける。従って、止め具は、紐状部材の任意の箇所へ、高い信頼性で、確実に掛け止められる。
【００１８】
さらに、止め具は、紐状部材に対する弾性押圧力により掛け止められているから、止め具を紐状部材上において容易に強制移動させることができる。従って、任意の箇所に移動する操作を容易に実行することができる。
【００１９】
他方、紐状部材から止め具を離脱させる場合、掛け止め操作と逆の手順を経ることにより、掛止孔から紐状部材を容易に離脱させることができる。従って、止め具の離脱操作を簡単に実行することができる。
【００２０】
また、本発明に係る止め具は、基体部が、有機材料からなるから、簡単、かつ、安価に製造することができる。しかも、止め具は、基体部と、掛止孔と、開口部とを含む単純な構造であるから、簡単、且つ、安価に製造することができる。
【００２１】
本発明に係る止め具は、更に、支持体を含むことができる。前記支持体は、開口部を備え、前記基体部を内蔵している。前記支持体の前記開口部は、前記基体部の前記開口部に対応する箇所に設けられている。
【００２２】
従って、止め具は、上述した利点をすべて有するとともに、支持体の構造、形状などに応じて、種々の分野で用い得る汎用性の高い止め具を提供することができる。
【００２３】
本発明の他の目的、構成及び利点については、添付図面を参照し、更に詳しく説明する。添付図面は、単に、例示に過ぎない。
【００２４】
【発明の実施の形態】
図１は、本発明に係る止め具の斜視図である。図１に示す止め具は、基体部１０と、掛止孔１３と、開口部１２とを含む。
【００２５】
基体部１０は、有機弾性材料からなる。基体部１０を構成する有機弾性材料は、シリコンまたは同様の特性を有するものが好ましい。
【００２６】
図１に示す基体部１０の外形形状は、円柱形状であるが、例示に過ぎない。基体部１０の外形形状は、その他に角柱形状、円錐形状、角錐形状、さらには球形状等であってもよい。
【００２７】
掛止孔１３は、基体部１０を貫通している。図示する掛止孔１３は、円形状の貫通孔であるが、楕円形形状、三角形形状、さらには多角形形状等であってもよい。図示する開口部１２はスリット状である。その他、Ｕ字形状、又は、鍵穴形状等、任意の形状を取ることができる。
【００２８】
開口部１２は、基体部１０に設けられ、掛止孔１３に沿って、基体部１０の外面、及び、掛止孔１３の内面に開口している。具体的には、開口部１２は、第１の開口端１２１と、第２の開口端１２２とを有し、掛止孔１３に沿って開口している。第１の開口端１２１は、基体部１０の外面に開口する。第２の開口端１２２は、掛止孔１３の内面に開口する。第２の開口端１２２は、第１の開口端１２１と連なっている。
【００２９】
本発明に係る止め具は、通常、紐状部材と組み合わされて使用される。図２は図１に示した止め具を用いた装身具の斜視図、図３は図２に示した装身具の一部拡大斜視図である。
【００３０】
図１に示した止め具は、図２及び図３に示すように、紐状部材３を掛止孔１３に案内し、基体部１０の弾性を利用して、紐状部材３を弾性的に保持することにより、紐状部材３に掛け止められる。紐状部材３は、縄状部材、綱状部材、鎖状部材、棒状部材等であってもよい。
【００３１】
図２を参照すると、紐状部材３は、一端が自由端であって、他端に結合部３１を有しており、結合部３１で止め具１に連結されている。これにより、紐状部材３により、止め具１の部分で伸縮調整される環状部が形成される。伸縮可能な環状部を有する構造であれば、例えば、ネックレスやベルト等に使用することができ、その場合に、使用者の体形や、服装に合わせてデザインを変更する場合の調整が容易になり、装身具の使用価値を向上させることができる。
【００３２】
開口部１２は、弾性を有する基体部１０に設けられ、掛止孔１３に沿って、基体部１０の外面及び掛止孔１３の内面に開口しているから、紐状部材３に対して、止め具１を掛け止める場合、第１の開口端１２１を押し広げることにより、例えば、紐状部材３が無端状であったとしても、紐状部材３の一部を、開口部１２の第１及び第２の開口端１２１、１２２を通過させてのち、掛止孔１３の内部に配置することができる。従って、従来と異なって、小径飾玉に内蔵された管に紐状部材３の先端部を案内する操作は必要ではなく、止め具１を、紐状部材３の中間部分からでも、その任意の箇所へ容易に掛け止めることができる。
【００３３】
また、基体部１０は、弾性を有しているから、掛止孔１３の内部に押入れされた紐状部材３には、掛止孔１３の内面から、矢印ｆ１で示す方向の押圧力が加えられ続ける。従って、止め具１は、紐状部材３の任意の箇所へ高い信頼性で結合し、確実に掛け止められる。
【００３４】
止め具１において、掛止孔１３の最大径寸法は、紐状部材３の径寸法以下に設定されることが好ましい。止め具１は、紐状部材３の外径寸法と、掛止孔１３の最大径寸法とを適宜調整することにより、紐状部材３を弾性的に保持しうる関係に設定される。例えば、掛止孔１３の最大径寸法を、紐状部材３の径寸法より小さくするにしたがって、矢印ｆ１で示す方向に働く押圧力は増大する。
【００３５】
図３に示す開口部１２はスリット状であり、第１及び第２の開口端１２１、１２２の開口幅は、掛止孔１３の最大径寸法以下に設定されている。特に、第２の開口端１２２が掛止孔１３の最大径寸法以下に設定されているから、一旦、掛止孔１３の内部に案内された紐状部材３に対して、第２の開口端１２２が返し部分として機能する。即ち、掛止孔１３の内部に案内された紐状部材３は、第２の開口端１２２に突き当たることにより、掛止孔１３からの脱落が防止される。従って、止め具１は、紐状部材３に対し高い信頼性で結合し、確実に掛け止められる。
【００３６】
止め具１は、紐状部材３に対する押圧力により掛け止めされているのみであるから、止め具１を紐状部材３上において容易に強制移動することができる。従って、任意の箇所に移動する操作を容易に実行することができる。
【００３７】
他方、紐状部材３は、掛止孔１３において弾性的に保持されているのみであるから、止め具１を紐状部材３から離脱させる場合、掛け止め操作と逆の手順を経ることにより、押圧力を解除し、容易に掛止孔１３から離脱させることができる。従って、止め具１の離脱操作を簡単に実行することができる。
【００３８】
上述したように、本発明に係る止め具１は、紐状部材３において着脱操作、及び、移動操作を容易に実行しうるから、一旦、紐状部材３に止め具１を装着した後においても、必要に応じて止め具１の配置を容易に変更することができる。
【００３９】
さらに、基体部１０は、有機材料で構成されているから、成形などの手段によって、簡単、かつ、安価に製造することができる。基体部１０を構成する有機弾性材料につき、耐磨耗性、耐腐食性、耐衝撃性等に優れたものを適宜選択することにより、履物、スポーツ用品、家具、器具または家庭電化製品等を含む広範囲の用途において用いることもできる。
【００４０】
しかも、基体部１０、開口部１２、及び、掛止孔１３を含む止め具１の掛け止め構造は、簡単である。従って、本発明に係る止め具は、簡単、且つ、安価に製造することができると共に、使用者にとって着脱操作が容易である。
【００４１】
止め具１の形状及び大きさは、当該止め具の実際の使用を考慮して決定される。例えば、当該止め具を、ネックレス、ブレスレットまたは他の小型宝飾品に接続する場合、形状が美観に優れていて、寸法ができるだけ小さい方がよい。
【００４２】
図４は本発明に係る止め具の別の実施例を示す斜視図である。図示において、図１に示した構成部分と同一の構成部分には、同一の参照符号を付し、重複説明を省略する。
【００４３】
図１乃至図３において述べたように、本発明に係る止め具において、課題を達成する中心的要素は、紐状部材と組み合わせて使用する場合に、紐状部材を開口部１２から掛止孔１３の内部に案内し、基体部１０の弾性により、紐状部材を弾性的に保持しうる構造にある。従って、止め具に上述した構造が備えられていれば、具体的な基体部１０の外形形状や、開口部１２の構造は、適当な範囲で別の態様をとることができる。
【００４４】
図４に示す止め具は、基体部１０の外周面を、その全長にわたって窪ませた凹溝１１を有し、凹溝１１の内部底面に第１の開口端１２１を配置してある。図４に示すように、基体部１０の外周面に凹溝１１を設けることにより、紐状部材を掛止孔１３の内部に案内する操作、及び、掛止孔１３の内部に案内された紐状部材に対する押圧力を解除し、掛止孔１３から離脱させる操作を簡単に実行することができる。より具体的に説明すると、止め具の使用者は凹溝１１に指等を引っ掛け、開口部１２を押し広げる操作を容易に実行することができる。
【００４５】
図５は本発明に係る止め具のさらに別の実施例を示す斜視図である。図５に示す止め具において、第１の開口端１２１の開口幅は、第２の開口端１２２の開口幅以上である。第２の開口端１２２の開口幅は、掛止孔１３との連絡部分において、掛止孔１３の最大径寸法以下に設定される。
【００４６】
第１の開口端１２１の開口幅は第２の開口端１２２の開口幅以上であるから、開口部１２は、第１の開口端１２１の開口幅が第２の開口端１２２の開口幅に等しい構造と、第１の開口端１２１の開口幅が第２の開口端１２２の開口幅より大きい構造とを含む。
【００４７】
第１及び第２の開口端１２１、１２２の開口幅が等しい場合の具体的構造としては、開口部１２が基体部１０に対しスリット状に設けられる構造（図１参照）、及び、基体部１０の内部端縁が軸方向から見てＵ字形状の内部空間を有するように成形され、開口部１２がＵ字形状の内部空間に含まれる構造を挙げることができる。
【００４８】
図５に示す止め具は、第１の開口端１２１の開口幅が第２の開口端１２２の開口幅より大き等しい場合の具体的構造として、基体部１０の内部端縁が軸方向から見て鍵穴形状の内部空間を有するように成形され、開口部１２が鍵穴形状の内部空間に含まれる構造を示している。
【００４９】
図５の実施例では、第２の開口端１２２の開口幅は、掛止孔１３との連絡部分において、掛止孔１３の最大径寸法以下に設定されているから、一旦、掛止孔１３の内部に案内された紐状部材に対して、第２の開口端１２２が返し部分として機能する。
【００５０】
また、開口部１２が鍵穴形状の内部空間に含まれる構造によると、第１の開口端１２１が大きな開口幅を有するから、紐状部材に対し止め具を簡単に着脱し得る。
【００５１】
図６は、図５に示した止め具を用いた装身具の一部を示す斜視図である。図６に示す実施例において、基体部１０は有機弾性材料からなり、且、第１の開口端１２１は、掛止孔１３の最大径寸法より大きな開口幅を有し得るから、紐状部材３の径寸法が掛止孔１３の最大径寸法以上であったとしても、第２の開口端１２２を通して、掛止孔１３への紐状部材３の案内操作が容易になる。従って、掛止孔１３に押入れする装着操作を容易に実行することができる。
【００５２】
掛止孔１３の内部に配置された紐状部材３は、掛止孔１３において矢印ｆ１で示す方向に働く弾性を受け、弾性的に保持される。上述したように、紐状部材３の径寸法は、掛止孔１３の最大径寸法以上であっても使用可能であるから、止め具１の掛け止め効果を容易に向上することができる。
【００５３】
さらに、紐状部材３の径寸法が掛止孔１３の最大径寸法以上であっても装着操作が容易であるから、さまざまな径寸法を有する紐状部材３に掛け止めることができる。
【００５４】
一方、第２の開口端１２２の開口幅は、掛止孔１３との連絡部分において、掛止孔１３の最大径寸法以下に設定されているから、一旦、掛止孔１３の内部に案内された紐状部材３は、第２の開口端１２２が返し部分として機能する。その結果、止め具１は、紐状部材３が第２の開口端１２２において突き当たることにより掛止孔１３からの脱落が防止され、確実に掛け止めされる。
【００５５】
他方、止め具１は、基体部１０の弾性を利用して弾性的に保持する構造であるから、第１の開口端１２１の開口幅が大きくなるにしたがって、第１の開口端１２１に指を掛ける等して押圧力を解除し、止め具１を紐状部材３から離脱する操作を簡単に実行することができる。
【００５６】
図７は本発明に係る止め具の更に別の実施例を示す平面図、図８は図７に示した止め具の側面図、図９は図７及び図８に示した止め具の正面図である。
【００５７】
図示する止め具は、基体部１０、掛止孔１３、開口部１２に加え、さらに支持体２０を含む。支持体２０は、角柱状の外形形状を有し、断面コ字状の端部に開口部２２を備え、断面コ字形状の内部空間に基体部１０を内蔵している。支持体２０の開口部１２は、基体部１０の開口部１２に対応する箇所に設けられている。
【００５８】
基体部１０は、好ましくは支持体２０の内径以上の径寸法を有し、支持体２０内部に設置された状態において、基体部１０の内壁面に圧着し、保持されている。
【００５９】
基体部１０を内蔵しえれば支持体２０への圧着構造は、必ずしも唯一の保持構造ではない。支持体２０は、例えば、接着剤等を利用して基体部１０を保持してもよいし、鉤爪機構等の機械的構造により基体部１０を保持してもよい。また、圧着構造と、接着構造や機械的機構とを併用することにより、基体部１０に対する保持力をより向上し得ることは自明である。
【００６０】
図７乃至図１０に示す止め具は、図１乃至図６に示した実施例の利点をすべて有するとともに、基体部１０とは別部材の支持体２０を有するから、支持体２０の素材を適宜選定することにより、種々の分野で用いることができる止め具を提供することができる。例えば、支持体２０に使用する素材が、金、銀、プラチナ等の貴金属類であれば、宝飾、衣服等への使用に適した止め具を提供することができる。一方、支持体２０に使用する素材が耐久性、耐磨耗性、耐腐食性等に優れている場合、止め具をスポーツ用品、家具、または、家庭電化製品等を含む広範囲の用途に供することもできる。
【００６１】
更に、支持体２０の形状は、基体部１０を保持しうる形状であれば、図示実施例に限定されない。支持体２０には、用途に応じて多様なデザインを施すことで、種々の分野で用いることができる止め具１を提供することができる。また、支持体２０の表面に宝石等他の物品を載置することもできる。
【００６２】
図１０は図７乃至図９に示した止め具を用いた装身具の平面図である。上述構造を有する止め具を紐状部材３と組合わせ、装身具として使用する場合、図１０に示すように、紐状部材３を、支持体２０の開口部２２から開口部１２に案内することができる。開口部１２まで案内された紐状部材３は、図１乃至図６において説明したように、掛止孔１３の内部において、基体部１０により弾性的に保持される。
【００６３】
図１１は本発明に係る止め具の更に別の実施例を示す平面図、図１２は図１１に示す止め具の正面図である。図１１及び図１２を参照すると、止め具は、支持体２０と、基体部１０とを含む。
【００６４】
支持体２０はリング状であって、一部に開閉可能な開口部２２を備える。支持体２０は、円弧状の内周方向において基体部１０を保持する。基体部１０は円盤状である。支持体２０の開口部２２と、基体部１０の開口部１２とは、好ましくは相互に一致するように位置決めされている。
【００６５】
より詳細に説明すると、支持体２０は、操作溝２４と、開閉子２３と、開口部２２と、開口片２２１を有する。開口部２２は、操作溝２４に沿って、開閉子２３を矢印ｍ１で示す方向に移動操作することで、開閉子２３に連結された開口片２２１が支持体２０の内部に収納され、開口する。これらは、当該技術分野において、周知の構成部分であるから、詳細は省略する。
【００６６】
基体部１０について、図示記号ｄ１は第２の開口端１２２の開口幅を有し、図示記号ｄ２は掛止孔１３の最大径寸法を示す。これまで述べてきたように、開口幅寸法ｄ１は、径寸法ｄ２以下になるように設定されている。
【００６７】
図１３は図１１及び図１２に示した止め具の一操作状態を示す平面図、図１４は図１３に示す操作状態における止め具の正面図、図１５は図１３に示す１５−１５線に沿った断面図である。
【００６８】
図１３及び図１４を参照すると、開閉子２３が矢印ｍ１で示す方向に移動するように操作され、開口部２２が開口している。図示する開口部２２の開口幅は、第１の開口端１２１の開口幅より狭く設定されているが例示に過ぎない。
【００６９】
上述したように支持体２０の開口部２２は、基体部１０の開口部１２に対応する箇所に設けられているから、止め具に紐状部材を組み合わせて用いる場合、紐状部材を支持体２０の開口部２２から、基体部１０の開口部１２に案内し、掛止孔１３の内部に配置することが可能である。従って、図示する止め具は、これまで説明した止め具の利点をすべて有する。
【００７０】
図１５を参照すると、支持体２０は、基体部１０を内蔵する。支持体２０は、内周面側において、基体部１０との接触面に凹溝状の受け部２６を有する。基体部１０は、好ましくは支持体２０の直径以上の径寸法を有し、支持体２０の内部に設置された状態において、矢印ｆ１で示す方向に働く弾性により、凹溝状の受け部２６の内壁面に圧着し、支持体２０の内部に弾性的に保持される。
【００７１】
受け部２６が有する凹溝形状は、基体部１０を弾性的に保持するに好ましい形状である。換言すると、基体部１０を保持しえれば支持体２０の受け部２６は必ずしも凹溝である必要ではない。例えば、接着剤等を利用して基体部１０を保持する場合、受け部２６の内壁面は、平面状であってもよい。また、鉤爪機構等の機械的構造により基体部１０を保持してもよい。受け部２６において圧着構造と、接着構造や機械的機構とを併用することにより、支持体２０における基体部１０の保持力をより向上しうる。
【００７２】
図１６は図１１乃至図１５に示した止め具を用いた装身具の一部を示す断面図である。支持体２０の開口部２２及び基体部１０の開口部１２を通過した紐状部材３は、掛止孔１３において矢印ｆ１で示す方向に働く基体部１０の弾性により、弾性的に保持される。
【００７３】
図１７は本発明に係る止め具のさらに別の実施例を示す平面図である。これまで説明してきたように、本発明に係る止め具において、課題を達成する中心的要素は、紐状部材と組み合わせて使用する場合に、紐状部材を開口部１２から掛止孔１３の内部に案内し、基体部１０の弾性により紐状部材３を弾性的に保持する構造にある。従って、紐状部材３が掛止孔１３に配置された場合に、基体部１０の弾性を利用してこれに掛け止めることができれば、支持体２０の外形形状等は自由な構造をとることができる。
【００７４】
図１７に示すように基体部１０を支持する支持体２０は、装飾鎖４を連結するために使用される孔２５を備える等、装身具の用途に適した優れた美観、又は、機構を備えることができる。
【００７５】
図１８は本発明に係る止め具の更に別の態様を示す平面図、図１９は図１８に示す止め具を用いた装身具の斜視図である。図示するように、用途に応じて一つの止め具において、支持体２０が複数の基体部１０を保持する構造をとることも可能である。
【００７６】
図２０は本発明に係る止め具の更に別の実施例を示す平面図である。図２０に示す止め具は、第１及び第２の開口端１２１、１２２の開口幅が等しい場合の構造であって、基体部１０の内部端縁が軸方向から見てＵ字形状の内部空間を有するように成形され、開口部１２がＵ字形状の内部空間に含まれる実施例である。
【００７７】
開口部１２がＵ字形状の内部空間に含まれる場合に、開口部１２の開口幅を紐状部材３の最大径寸法以下に適宜調整することで、紐状部材３を掛止孔１３に案内し易くなると共に、一旦、案内された紐状部材３は、掛止孔１３からの脱落が防止され、確実に掛け止めることができる。
【００７８】
第１の開口端１２１は大きな開口幅を有するから、紐状部材３を掛止孔１３に押入れする装着操作が、容易に実行し得る。
【００７９】
また、基体部１０の弾性により、紐状部材３を弾性的に保持する構造は、掛止孔１３の形状及び最大径寸法により調節することができるから、開口部１２がＵ字形状の内部空間に含まれる構造であっても、掛止孔１３は紐状部材３に弾性的に保持することができる。
【００８０】
加えて、基体部１０の弾性を利用した掛け止めであるから、第１の開口端１２１の開口幅が大きくなるに随って、基体部１０の押圧力を低減する離脱操作を簡単に実行することができる。
【００８１】
また、前述したように、掛止孔１３は紐状部材３を弾性的に保持しうる構造を有し、第１の開口端１２１は紐状部材３を通過させうる構造を有し、第２の開口端１２２は紐状部材３を通過させうる構造と返し部分として機能うる構造を有することが好ましい。
【００８２】
第２の開口端１２２の返し機能は、紐状部材３の径寸法、止め具の着脱容易性、掛け止め効果の強弱等の要素を勘案して設定できる設計的事項である。従って、第２の開口端１２２の径寸法が、掛止孔１３の最大径寸法より明らかに大きく、全く掛け止め効果が期待できない場合を除き、第２の開口端１２２の径寸法を、掛止孔１３の最大径寸法と等しく設定することもできる。
【００８３】
また、上述したように、支持体２０の形状は基体部１０の使用態様や優れた外観を考慮して付されるものであり、基体部１０は紐状部材３に対し弾性的に保持することができれば、本発明の課題を達成することができる。図示する開口部２２において、開口片２２１が開口幅の中間付近まで突出しているに過ぎないが、特に閉塞されている必要はない。孔２５は掛止物等を連結するために用いられる付加的な機構である。
【００８４】
以上、好ましい実施例を参照して本発明の内容を具体的に説明したが、本発明の基本的技術思想及び教示に基づいて、当業者であれば、種種の変形態様を採り得ることは自明である。
【００８５】
【発明の効果】
以上述べたように、本発明によれば、次のような効果を得ることができる。
（ａ）着脱操作を簡単に実行し得る止め具、及び、その止め具を含む装身具を提供することができる。
（ｂ）高い信頼性で結合し、確実に掛け止めることができる止め具、及び、その止め具を含む装身具を提供することができる。
（ｃ）簡単、かつ、安価に製造し得る止め具、及び、その止め具を含む装身具を提供することができる。
（ｄ）種々の分野で用い得る止め具、及び、その止め具を含む装身具を提供することができる。
【図面の簡単な説明】
【図１】本発明に係る止め具の斜視図である。
【図２】図１に示した止め具を用いた装身具の斜視図である。
【図３】図２に示した装身具の一部拡大斜視図である。
【図４】本発明に係る止め具の別の実施例を示す斜視図である。
【図５】本発明に係る止め具のさらに別の実施例を示す斜視図である。
【図６】図５に示した止め具を用いた装身具の一部を示す斜視図である。
【図７】本発明に係る止め具のさらに別の実施例を示す平面図である。
【図８】図７に示した止め具の側面図である。
【図９】図７及び図８に示した止め具の正面図である。
【図１０】図７乃至図９に示した止め具を用いた装身具の平面図である。
【図１１】本発明に係る止め具のさらに別の実施例を示す平面図である。
【図１２】図１１に示す止め具の正面図である。
【図１３】図１１及び図１２に示す止め具の一操作状態を示す平面図である。
【図１４】図１３に示す操作状態における正面図である。
【図１５】図１４に示す１５−１５線に沿った断面図である。
【図１６】図１１乃至図１５に示した止め具を用いた装身具の一部を示す断面図である。
【図１７】本発明に係る止め具のさらに別の実施例を示す平面図である。
【図１８】本発明に係る止め具のさらに別の実施例を示す平面図である。
【図１９】図１８に示す止め具を用いた装身具の斜視図である。
【図２０】本発明に係る止め具のさらに別の実施例を示す平面図である。
【符号の説明】
１          止め具
１０        基体部
１２        開口部
１２１      第１の開口端
１２２      第２の開口端
１３        掛止孔
３          紐状部材
【図１】
2004167139.tif 000003
【図２】
2004167139.tif 000004
【図３】
2004167139.tif 000005
【図４】
2004167139.tif 000006
【図５】
2004167139.tif 000007
【図６】
2004167139.tif 000008
【図７】
2004167139.tif 000009
【図８】
2004167139.tif 000010
【図９】
2004167139.tif 000011
【図１０】
2004167139.tif 000012
【図１１】
2004167139.tif 000013
【図１２】
2004167139.tif 000014
【図１３】
2004167139.tif 000015
【図１４】
2004167139.tif 000016
【図１５】
2004167139.tif 000017
【図１６】
2004167139.tif 000018
【図１７】
2004167139.tif 000019
【図１８】
2004167139.tif 000020
【図１９】
2004167139.tif 000021
【図２０】
2004167139.tif 000022